(57)【要約】【課題】装置の使用用途によらず利用者にとって操作入力を容易にすること。【解決手段】情報処理装置は、情報処理装置の使用状態を判断する判断部１０４と、使用状態に応じて、表示画面の表示要素の配置位置を表示画面上で正逆の位置のいずれかの位置に決定し、画面上の決定した配置位置に表示要素を、配置して表示部１０２に表示する表示制御部１０３とを備えた。【選択図】図１
2010218470.tif 000002
【特許請求の範囲】
【請求項１】
情報処理装置であって、
前記情報処理装置の使用状態を判断する判断手段と、
前記使用状態に応じて、表示画面の表示要素の配置位置を、表示画面上で正の位置または逆の位置のいずれかの位置に決定する決定手段と、
画面上の決定した配置位置に表示要素を、配置して表示手段に表示する表示制御手段と、
を備えたことを特徴とする情報処理装置。
【請求項２】
前記判断手段は、前記使用状態として、前記表示手段の本体部に対する角度を検出し、
前記決定手段は、検出された角度に応じて表示要素の配置位置を決定することを特徴とする請求項１に記載の情報処理装置。
【請求項３】
前記決定手段は、検出された角度が垂直角度を含む所定の範囲の場合に、前記表示要素の配置位置を画面上方側に決定し、検出された角度が水平角度を含む所定の範囲の場合に、前記表示要素の配置位置を画面下方側に決定することを特徴とする請求項２に記載の情報処理装置。
【請求項４】
前記判断手段は、前記使用状態として利用者の位置を検出し、
前記決定手段は、前記表示要素の配置位置を、前記表示画面上における、検出された利用者の位置の近傍に決定することを特徴とする請求項１に記載の情報処理装置。
【請求項５】
前記判断手段は、利用者の使用履歴に基づいて、前記使用状態として利用者の利き腕を検出し、
前記決定手段は、前記表示要素の配置位置を、前記表示画面上における利き腕側の位置に決定することを特徴とする請求項１に記載の情報処理装置。
【請求項６】
情報処理装置で実行される表示処理方法あって、
前記情報処理装置の使用状態を判断する判断ステップと、
前記使用状態に応じて、表示画面の表示要素の配置位置を、正の位置または逆の位置のいずれかの位置に決定する決定ステップと、
画面上の決定した配置位置に表示要素を、配置して表示手段に表示する表示制御ステップと、
を含むことを特徴とする表示処理方法。
【請求項７】
コンピュータを、
前記コンピュータの使用状態を判断する判断手段と、
前記使用状態に応じて、表示画面の表示要素の配置位置を、表示画面上で正の位置または逆の位置のいずれかの位置に決定する決定手段と、
画面上の決定した配置位置に表示要素を、配置して表示手段に表示する表示制御手段と
して機能させるためのプログラム。
【発明の詳細な説明】
【技術分野】
【０００１】
本発明は、情報処理装置、表示処理方法およびプログラムに関する。
【背景技術】
【０００２】
近年、複写機やＰＣ、携帯端末等の機器において、入力手段としてタッチパネルを使う機器が増加してきている。このようなタッチパネルを使用した装置では、利用者が表示画面を指等でタッチ操作することにより、操作入力を行うようになっている。
【０００３】
一方、従来の各種装置において、表示部に表示する画面の構成は、画一的なものが多くなっている。すなわち、利用者に表示するためだけの表示要素や、利用者に操作入力を行わせるための、アイコンやタブ等の表示要素の画面上での配置はほぼ決まった位置となっている。具体的には、従来の画面構成は、垂直表示を想定して操作入力のための表示要素を画面上方へ配置することが多い。
【発明の概要】
【発明が解決しようとする課題】
【０００４】
このため、水平なタッチパネルを操作する場合、画面上方は利用者から遠いため、見づらくタッチ操作を行いにくい。すなわち、従来のタッチパネルを利用した装置の画面構成は押しづらい。利用者の水平操作は考慮されていない。
【０００５】
また、垂直から水平まで調節可能な操作表示部を使う装置の場合、操作表示部の本体部に対する仰角の角度に応じては、画面上方に配置された操作入力のための表示要素を操作しにくい。
【０００６】
このように従来の装置では、表示要素の配置が利用者の装置の使用用途から外れる場合もあり、装置の使用用途によっては利用者にとって操作入力が困難になるという問題がある。
【０００７】
本発明は、上記に鑑みてなされたものであって、装置の使用用途によらず利用者にとって操作入力を容易にすることができる情報処理装置、表示処理方法およびプログラムを提供することを目的とする。
【課題を解決するための手段】
【０００８】
上述した課題を解決し、目的を達成するために、本発明は、情報処理装置であって、前記情報処理装置の使用状態を判断する判断手段と、前記使用状態に応じて、表示画面の表示要素の配置位置を、正の位置または逆の位置のいずれかの位置に決定する決定手段と、画面上の決定した配置位置に表示要素を、配置して表示手段に表示する表示制御手段と、を備えたことを特徴とする。
【０００９】
また、本発明は上記装置で実行される表示処理方法、プログラムである。
【発明の効果】
【００１０】
本発明によれば、使用状態に応じて、表示画面の表示要素の配置位置を、正の位置または逆の位置のいずれかの位置に決定し、画面上の決定した配置位置に表示要素を、配置して表示手段に表示することで、装置の使用用途によらず利用者にとって操作入力を容易にすることができるという効果を奏する。
【図面の簡単な説明】
【００１１】
【図１】図１は、実施の形態１にかかる情報処理装置の機能的構成を示すブロック図である。
【図２】図２は、実施の形態１の表示処理の手順を示すフローチャートである。
【図３】図３は、装置本体部と表示部１０１との仰角を説明するための図である。
【図４】図４は、装置本体部と表示部１０１の仰角を検知する手法の一例を示す模式図である。
【図５】図５は、装置本体部と表示部１０１の仰角を検知する手法の他の一例を示す模式図である。
【図６−１】図６−１は、情報処理装置がノートＰＣである場合の表示例である。
【図６−２】図６−２は、情報処理装置がノートＰＣである場合の表示例である。
【図７−１】図７−１は、情報処理装置がノートＰＣである場合の表示例である。
【図７−２】図７−２は、情報処理装置がノートＰＣである場合の表示例である。
【図８−１】図８−１は、情報処理装置がノートＰＣである場合の表示例である。
【図８−２】図８−２は、情報処理装置がノートＰＣである場合の表示例である。
【図９−１】図９−１は、情報処理装置がノートＰＣである場合の表示例である。
【図９−２】図９−２は、情報処理装置がノートＰＣである場合の表示例である。
【図１０】図１０は、情報処理装置がテーブル型タッチパネルである場合の表示例である。
【図１１】図１１は、情報処理装置がテーブル型タッチパネルである場合の表示例である。
【図１２】図１２は、情報処理装置がテーブル型タッチパネルである場合の表示例である。
【図１３】図１３は、情報処理装置がカーナビゲーション装置である場合の表示例である。
【図１４】図１４は、情報処理装置がカーナビゲーション装置である場合の表示例である。
【図１５】図１５は、画像形成装置としての複合機１５００の機能的構成を示すブロック図である。
【図１６−１】図１６−１は、複合機の操作表示部の表示例である。
【図１６−２】図１６−２は、複合機の操作表示部の表示例である。
【図１７−１】図１７−１は、複合機の操作表示部の表示例である。
【図１７−２】図１７−２は、複合機の操作表示部の表示例である。
【図１８−１】図１８−１は、複合機の操作表示部の表示例である。
【図１８−２】図１８−１は、複合機の操作表示部の表示例である。
【発明を実施するための形態】
【００１２】
以下に添付図面を参照して、この発明にかかる情報処理装置、情報処理方法およびプログラムの最良な実施の形態を詳細に説明する。
【００１３】
（実施の形態１）
図１は、実施の形態１にかかる情報処理装置の機能的構成を示すブロック図である。本実施の形態の情報処理装置１００は、図１に示すように、表示部１０２と、入力部１０１と、表示制御部１０３と、判断部１０４と、ハードディスクドライブ装置（ＨＤＤ）１０５とを主に備える。
【００１４】
表示部１０２は、ディスプレイ装置等の表示画面を表示するデバイスである。入力部１０１は、マウスやキーボード等の入力デバイスである。なお、表示部１０２と入力部１０１とをタッチパネル式の入力表示デバイスとして構成してもよい。
【００１５】
判断部１０４は、情報処理装置１００の使用状態を判断するものであり、具体的には、表示部１０２と装置本体部との間の角度、すなわち仰角を判断する。
【００１６】
表示制御部１０３は、表示部１０３への表示データの表示を制御する。また、表示制御部１０３は、表示データ中の一または複数の表示要素の配置を、情報処理装置１００の使用状態によって変更する。
【００１７】
具体的には、表示制御部１０３は、情報処理装置の使用状態に応じて、画面上方に表示要素を画面下方に配置変更したり、その逆の変更を行う。また、情報処理装置の使用状態に応じて、表示要素を画面の一方の側に集めて表示する。具体的な表示要素の配置の変更の例については後述する。
【００１８】
ここで、表示要素には、表示専用の表示要素の他、操作入力を行うための表示要素も含まれる。操作入力を行うための表示要素としては、例えば、アイコン、タブ、リストボックス等があげられるが、これらに限定されるものではない。また、表示要素には、上記アイコン等の単体の要素の他、画面上の一定の範囲を画する領域も含まれる。
【００１９】
ＨＤＤ１０５は、表示データや表示要素のデータを記憶する記憶媒体である。
【００２０】
次に、本実施の形態の表示処理について説明する。図２は、実施の形態１の表示処理の手順を示すフローチャートである。
【００２１】
まず、判断部１０４は、情報処理装置１００の使用状態として、装置本体部と表示部１０１との仰角を判断する（ステップＳ１１）。ここで、図３は、装置本体部と表示部１０１との仰角を説明するための図である。仰角の判断は、種々の手法を採用することができる。図４、５は、装置本体部と表示部１０１の仰角を検知する手法の一例を示す模式図である。図４に示した例では、デジタル水平器や角度計と同様の傾斜検知機器が本体部と表示部１０１との接続部に設けられている。そして、この傾斜検知機器により表示部１０１の本体部に対する仰角を検知するように構成すればよい。
【００２２】
また、図５の例では、本体部と表示部１０１との接続部内部に所定間隔で複数の接点を設け、この接点に本体部と表示部１０１との接続部の回転軸が接触した場合に、接触した接点から本体部と表示部１０１の仰角を検知するように構成すればよい。
【００２３】
図２に戻り、ステップＳ１２で本体部と表示部１０１の仰角を検出した後、表示制御部１０３は、仰角に応じて表示要素の配置を決定する（ステップＳ１２）。例えば、仰角が０°から９０°の場合には、操作入力用の表示要素を画面上方に表示し、仰角が９０°から１８０°の場合には、操作入力用の表示要素を画面下方、すなわち利用者に近い側に表示するよう構成すればよい。
【００２４】
このように表示要素の配置を決定したら、表示制御部１０３は、表示要素を含む表示データを表示部１０１に表示する（ステップＳ１３）。
【００２５】
次に、表示要素の画面配置の例について説明する。図６−１、図６−２、図７−１，図７−２、図８−１，図８−２、図９−１，図９−２は、情報処理装置がノートＰＣである場合の表示例である。図６−１に示すように、表示部１０１が本体部に対する仰角が垂直に近い場合には、従来のＰＣの画面と同様に、表示要素としてのタブが画面上方に配置されるが、表示部１０１が本体部に対する仰角が水平に近い角度の場合には、図６−２に示すように、表示要素としてのタブが画面下方に配置される。
【００２６】
また、図７−１に示すように、表示部１０１が本体部に対する仰角が垂直に近い角度の場合には、従来のＰＣの画面と同様に、タブやキーが配列された表示要素としての操作領域が画面上方に配置されるが、表示部１０１が本体部に対する仰角が水平に近い角度の場合には、図７−２に示すように、操作領域が画面下方に配置される。また、その操作領域内の項目の表示順も、図７−１と図７−２とでは逆順に表示される。
【００２７】
図８−１，８−２は表示要素がアイコンの場合の例であり、アイコンも同様に、配置が変わっている。
【００２８】
上述した例では、装置の使用状態として、本体部と表示部の仰角を判断して表示要素の配置を変更していたが、使用状態としてはこれに限定されるものではない。例えば、判断部１０４がＨＤＤ等の記憶媒体１０５に保存された利用者の入力履歴を参照して、マウスのクリック操作等の履歴から利用者が右利きか左利きかを判断して、右利きの利用者の場合には、表示制御部１０３を、図９−１の標準の画面を、図９−２に示すように、右側に表示要素が並んで表示されるように変更するように構成することができる。
【００２９】
また、情報処理装置がテーブル型タッチパネルである場合に、判断部１０４が、人感センサ等により利用者の座った位置を検出するように構成し、図１０、１２に示すように、検出された位置の近傍に表示要素を表示するように表示制御部１０３を構成してもよい。この場合、複数の利用者が検知された場合には、図１１に示すように、検知されたそれぞれの位置近傍に表示要素を表示するように表示制御部１０３を構成してもよい。
【００３０】
また、情報処理装置がカーナビゲーション装置である場合に、判断部１０４が運転席が右側席か左側席かを判断し、図１３，１４に示すように、表示要素としてのナビゲーション画面を運転席側の画面に表示するように表示制御部１０４を構成してもよい。
【００３１】
（第２の実施の形態）
実施の形態２は、画像形成装置に本発明を適用したものである。図１５は、画像形成装置としての複合機１５００の機能的構成を示すブロック図である。
【００３２】
本実施の形態の複合機１５００は、図１５に示すように、操作表示部１５０１と、表示制御部１５０３と、判断部１５０４と、ＨＤＤ１５０５とを主に備える。
【００３３】
操作表示部１５０１は、利用者に各種画面を表示するとともに利用者からの操作入力を受付けるタッチパネル型のデバイスである。本実施の形態では、操作表示部１５０１は、本体部と仰角を変更可能となっている。
【００３４】
判断部１５０４は、複合機１５００の使用状態を判断するものであり、具体的な判断手法については実施の形態１と同様である。
【００３５】
表示制御部１５０３は、操作表示部１５０１への表示データの表示を制御する。また、表示制御部１５０３は、表示データ中の一または複数の表示要素の配置を、複合機１５００使用状態によって変更する。具体的な機能については実施の形態１と同様である。また、本実施の形態の表示処理についても実施の形態１と同様であるため説明を省略する。
【００３６】
図１６−１，図１６−２、図１７−１、図１７−２、図１８−１、図１８−２は、操作表示部１５０１への表示要素の表示例を示している。
【００３７】
図１６−１に示すように、操作表示部１０１の本体部に対する仰角が垂直に近い場合には、アプリケーションのメニュー画面における表示要素としてのタブおよび操作領域であるキーが画面上方に配置されるが、操作表示部１５０１の本体部に対する仰角が水平に近い角度の場合には、図１６−２に示すように、表示要素としてのタブが画面下方に配置され、また操作領域であるキーが下方一列に並んで表示される。
【００３８】
また、図１７−１に示すように、操作表示部１０１の本体部に対する仰角が垂直に近い場合には、アプリケーションの設定画面における表示要素としてのタブが画面上方に配置されるが、操作表示部１５０１の本体部に対する仰角が水平に近い角度の場合には、図１７−２に示すように、表示要素としてのタブが画面下方に配置され、また操作領域であるキーが下方一列に並んで表示される。また、図１８−１、図１８−２の例でも同様に、タブの配置が変更されて表示される。
【００３９】
このように上述した実施の形態では、表示要素の画面上の配置が装置の使用状態に応じて変化するので、装置の使用用途によらず利用者にとって操作入力を容易にすることができる。
【００４０】
なお、本実施の形態の情報処理装置、複合機で実行される表示処理プログラムは、ＲＯＭ等に予め組み込まれて提供される。
【００４１】
本実施の形態の情報処理装置、複合機で実行される表示処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００４２】
さらに、本実施の形態の情報処理装置、複合機で実行される表示処理プログラムを、インターネット等のネットワークに接続されたコンピュータ上に格納し、ネットワーク経由でダウンロードさせることにより提供するように構成しても良い。また、本実施の形態の情報処理装置、複合機で実行される表示処理プログラムをインターネット等のネットワーク経由で提供または配布するように構成しても良い。
【００４３】
本実施の形態の情報処理装置、複合機で実行される表示処理プログラムは、上述した各部（表示制御部、判断部）を含むモジュール構成となっており、実際のハードウェアとしてはＣＰＵ（プロセッサ）が上記ＲＯＭから表示処理プログラムを読み出して実行することにより上記各部が主記憶装置上にロードされ、表示制御部、判断部が主記憶装置上に生成されるようになっている。
【符号の説明】
【００４４】
１００  情報処理装置
１０１  入力部
１０２  表示部
１０３  表示制御部
１０４  判断部
１０５  ＨＤＤ
【先行技術文献】
【特許文献】
【００４５】
【特許文献１】特開平１０−４０４４０号公報
【図１】
2010218470.tif 000003
【図２】
2010218470.tif 000004
【図３】
2010218470.tif 000005
【図４】
2010218470.tif 000006
【図５】
2010218470.tif 000007
【図６−１】
2010218470.tif 000008
【図６−２】
2010218470.tif 000009
【図７−１】
2010218470.tif 000010
【図７−２】
2010218470.tif 000011
【図８−１】
2010218470.tif 000012
【図８−２】
2010218470.tif 000013
【図９−１】
2010218470.tif 000014
【図９−２】
2010218470.tif 000015
【図１０】
2010218470.tif 000016
【図１１】
2010218470.tif 000017
【図１２】
2010218470.tif 000018
【図１３】
2010218470.tif 000019
【図１４】
2010218470.tif 000020
【図１５】
2010218470.tif 000021
【図１６−１】
2010218470.tif 000022
【図１６−２】
2010218470.tif 000023
【図１７−１】
2010218470.tif 000024
【図１７−２】
2010218470.tif 000025
【図１８−１】
2010218470.tif 000026
【図１８−２】
2010218470.tif 000027